(57)【特許請求の範囲】
【請求項１】
閉塞された一端面部および他端面部を有する円筒体をなすカラーと、
両端が開放された円筒体をなすとともに、前記カラーの周面部の外部に嵌合されたゴムローラ体と、を具備し、
前記カラーは、その中心軸線を挟んで対向する一方の側に位置する周面部の部分から前記一端面部との間を前記中心軸線に対し傾斜して結ぶ分割線に沿って分割された２個のカラー分割構造体からなり、これらカラー分割構造体は互いに組合せた状態で結合されていることを特徴とするゴムローラ。
【発明の詳細な説明】
【０００１】
【発明の属する技術分野】
本発明はカラーとゴムローラ体とを組合せたゴムローラに関する。
【０００２】
【従来の技術】
ファクシミリやプリンタなどの画像形成装置における記録紙を搬送する搬送部では、記録紙を円滑に搬送できることからゴムローラが用いられている。
【０００３】
従来、このゴムローラとしては図５ないし図７に示す構成のものが用いられている。図５および図６はゴムローラを示す斜視図、図７はゴムローラの分解斜視図である。
図５に示すゴムローラ１は、全体がゴムにより形成された円柱体をなすもので、その内部に中心軸線上に位置して金属からなる軸２が挿通されて焼き付けにより固着されている。図６に示すゴムローラは、カラー３とゴムローラ体４とを備えている。カラー３は合成樹脂からなる円柱体をなしている。ゴムローラ体４はゴムからなる円筒体をなすとともに、カラー３の外周部に嵌合固着されている。
【０００４】
また、図７に示すゴムローラは特開平９−１０００４５号で開示されており、カラーを分割型として構成したもので、一対のカラー分割構造体６、一対のカラー分割構造体７およびゴムローラ体８を備えている。ゴムローラ体８は両端を開放した円筒体をなすもので、一対のカラー分割構造体６はこのゴムローラ体８の内部に挿入されて組合され、さらに一対のカラー分割構造体７は一対のカラー分割構造体６の内側に挿入して軸を構成するものである。
【０００５】
【発明が解決しようとする課題】
このように構成された従来の各ゴムローラは次に述べる問題がある。
【０００６】
図５に示すものは、ゴムローラ１が金属からなる軸２に直接焼き付けて一体に固着されているために軸２から取外すことが困難である。このため、ゴムローラ１が摩耗や劣化で交換が必要となった場合にはゴムローラ１だけでなく交換が不要な軸２も一緒に交換しなければならず、軸２を続けて使用することができないために不経済である。
【０００７】
図６に示すゴムローラは、ゴムローラ体４がカラー３に嵌合固着されているためにカラー３から取外すことが困難である。このため、ゴムローラ体４の交換が必要となった場合にはゴムローラ体４だけでなく交換が不要なカラー３も一緒に交換しなければならず、カラー３を続けて使用することができないために不経済である。
【０００８】
図７に示すゴムローラは、カラーを一対のカラー分割構造体６と一対のカラー分割構造体７とに分割した構成として、図５および図６に示すものとの比較において、カラーを分解してゴムローラ体８をカラーから外すことができるようになっている。このため、ゴムローラ体８を交換する場合でもカラーを一緒に交換する必要がなく、カラーを再び使用することができるために経済的である。
しかし、このゴムローラに用いるカラーは、合計４個のカラー分割構造体６，７で構成しているために、部品コストが高く、またカラーを組立てる手数および分解する手数が多く、交換作業が大変であるという問題がある。
【０００９】
本発明は、カラーを構成する部品数が少なく構成が簡素であり、且つカラーの組立ておよび分解が容易で経済性が高いゴムローラを提供することを目的とする。
【００１０】
【課題を解決するための手段】
上記目的を達成するため、本発明の一つの形態に係るゴムローラは、
閉塞された一端面部および他端面部を有する円筒体をなすカラーと、
両端が開放された円筒体をなすとともに、前記カラーの周面部の外部に嵌合されたゴムローラ体と、を備えている。
前記カラーは、その中心軸線を挟んで対向する一方の側に位置する周面部の部分から前記一端面部との間を前記中心軸線に対し傾斜して結ぶ分割線に沿って分割された２個のカラー分割構造体からなり、これらカラー分割構造体は互いに組合せた状態で結合されていることを特徴としている。
【００１１】
この発明の構成によれば、カラーを分割して構成する上で最も少ない２個のカラー分割構造体で構成することにより、その組立ておよび分解を最も容易に行うことができる。特に２個のカラー分割構造体はカラーを独自の分割線で分割したことにより、ゴムローラ体と組合せてカラーを組立てる上でゴムローラ体による制約を最も少ない状態で容易に組立てることができる。
【００１２】
【発明の実施の形態】
本発明の一実施の形態について図１ないし図４を参照して説明する。
図１はこの実施の形態のゴムローラを示す斜視図、図２はカラーからゴムローラ体を取外した状態を示す斜視図、図３はカラーを分解した状態を示す斜視図、図４はゴムローラを示す断面図である。
【００１３】
この実施の形態のゴムローラは、カラー１１とゴムローラ体１５とを備えたもので、金属からなる軸１６に支持されて用いられる。カラー１１は合成樹脂により形成されたもので、両端が閉塞された円筒体、すなわち円筒をなす周面部１２と、円板をなす一端面部１３と、円板をなす他端面部１４とを有している。そして、このカラー１１は、合成樹脂からなる２個のカラー分割構造体２１，２２を組合せて円筒体として構成されており、これら２個のカラー分割構造体２１，２２は、円筒体をなすカラー１１の中心軸線Ｏに対し傾斜する分割線に沿って分割されたものである。分割線は、Ａ１，Ａ２およびＡ３で示している。
【００１４】
すなわち、例えばカラー１１を水平に置いた場合、分割線Ａ１は図示左側の一端面部１３において水平な中心軸線Ｏに対して上側部分に水平な直径方向に沿って設定される。一対の分割線Ａ２は周面部１２の中心軸線Ｏを挟んで対向する両側部分において、分割線Ａ１の両端から連続して中心軸線Ｏに対して上側に位置する部分から中心軸線Ｏを越えて右斜め下側に向けて傾斜して中心軸線Ｏに対して下側に位置する部分まで延びて設定されている。分割線Ａ３は周面部１２において中心軸線Ｏに対して下側で図示右側の他端面部１４に近い部分に円周方向に沿って形成されて両端が一対の分割線Ａ２の両方の下端に接続するように設定されている。
【００１５】
このため、一方のカラー分割構造体２１は、図２に示すようにカラー１１の周面部１２において一対の分割線Ａ２および分割線Ａ３により分割された周面部１２の下側の周面部１２ａと、カラー１１の一端面部１３において分割線Ａ１より分割されて一端面部１３の多くの部分を占める一端面部１３ａとを有している。このカラー分割構造体２１の一端面部１３ａにはカラー１１の中心軸線Ｏ上に位置して挿通孔２３が形成されている。すなわち、カラー分割構造体２１は分割線Ａ１ないしＡ３に沿って分割された分割縁部を有している。
【００１６】
また、周面部１２ａにおける分割線Ａ３により分割された縁部の内面には、中心軸線方向に沿って外側へ突出する係合爪２５が一体に形成されている。係合爪２５は、その先端にカラー外側（下側）へ向けて屈曲する鉤形をなす爪部２５ａを有している。
一端面部１３ａの外面には、分割線Ａ１により分割された縁部にカラー１１の直径方向に沿って上側へ突出する係合爪２６が一体に形成されている。係合爪２６は、その先端（上端）にカラー内側へ屈曲する鉤形をなす爪部２６ａを有している。これら係合爪２５，２６は、合成樹脂からなるカラー分割構造体２１と一体に形成されることにより弾性を有している。係合爪２５は、上下方向に弾性変位することが可能でカラー外側に向かう弾性力を有している。係合爪２６は、左右方向に弾性変位することが可能でカラー内側に向かう弾性力を有している。
【００１７】
他方のカラー分割構造体２２は、図２に示すようにカラー１１の周面部１２において一対の分割線Ａ２および分割線Ａ３により分割された上側部分である周面部１２ｂと、カラー１１の一端面部１３において分割線Ａ１より分割された上側の部分である一端面部１３ｂと、カラー１１における他端面部１４の全体とを有している。すなわち、カラー分割構造体２２は、分割線Ａ１ないしＡ３に沿って分割された分割面を有している。
【００１８】
また、他端面部１４にはカラー１１の中心軸線０に位置して挿通孔２４が形成されている。周面部１２ｂにおける分割線Ａ３で分割された縁部には、カラー分割構造体２１の係合爪２５の爪部２５ａが係合する係合孔２８が形成されている。一端面部１３ｂには、カラー分割構造体２１の係合爪２６の爪部２６ａが係合する係合孔２７が形成されている。
【００１９】
これらカラー分割構造体２１とカラー分割構造体２２は、カラー１１の中心軸線Ｏを挟んで上側に位置する一端面部１３の部分および周面部１２の部分と下側に位置する周面部１２の部分とを結ぶ分割線Ａ１ないしＡ３に沿って分割された夫々の分割縁部を互いに突き合せることにより円筒体を形作っている。
ここで、カラー分割構造体２１の周面部１２ａの係合爪２５は、カラー１１の内部においてカラー分割構造体２２の周面部１２ｂに形成された係合孔２８に弾性的に引っ掛かり、カラー分割構造体２１の一端面部１３ａの係合爪２６は、カラー１１の外部においてカラー分割構造体２２の一端面部１３ｂに形成された係合孔２７に弾性的に引っ掛かっている。これにより、係合爪２５，２６はカラー分割構造体２１とカラー分割構造体２２とを互いに結合してカラー１１を構成している。
【００２０】
ゴムローラ体１５はゴムにより形成された両端が開放された円筒体をなすもので、カラー１１の外周面の直径に応じた内径と、カラー１１の長さに応じた長さと、ローラとしての機能を考慮した厚さを有している。このゴムローラ体１５はカラー１１の外周面に嵌合されて弾性力によりカラー１１を締付けるようにして固定されている。
【００２１】
軸１６は、カラー１１より大きな長さを有している。この軸１６は、カラー１１の一端面部１３の挿通孔２３および他端面部１４の挿通孔２４に通すことにより、中心軸線Ｏ上に位置してカラー１１の内部を貫通して設けられている。カラー１１は、軸１６に対して回転自在に支持され、または軸１６に固定されて軸１６と一体に回転するように設けられる。
【００２２】
このように構成されたゴムローラを組立てる場合は、まずゴムローラ体１５をカラー分割構造体２２の外周面の全体に嵌め込む。この場合、ゴムローラ体１５はその一端からカラー分割構造体２２の外周面に嵌め込み、カラー分割構造体２２の軸線方向に沿って引張って全長の部分をカラー分割構造体２２の全長に亘って嵌め込む。
ここで、カラー分割構造体２２は、カラー１１の一端面部１３に位置する分割線Ａ１、カラー１１の中心軸線Ｏを挟むとともに、この中心軸線Ｏに対して傾斜する一対の分割線Ａ２およびカラー１１の周面部１２のうち他端面部１４に近い部分に位置する分割線Ａ３に沿って切断されている。これにより、カラー分割構造体２２の長さは、カラー１１の長さと同じであるが、カラー１１の直径を有する部分が他端面部１４に近い周面部１２ｂの一部の短い長さの部分Ｌとなっている。
このため、ゴムローラ体１５をカラー分割構造体２２の軸方向に移動して嵌合する場合、ゴムローラ体１５の内周面がカラー分割構造体２２の外周面の周方向全体に摺接する部分の長さが短いために、カラー分割構造体２２による摩擦抵抗が大変小さく、ゴムローラ体１５を容易且つ円滑に嵌合することができる。
【００２３】
次いで、カラー分割構造体２１の分割線Ａ３で分割された部分を、ゴムローラ体１５とカラー分割構造体２２の一端面部１３ｂとの間に挿入し、カラー分割構造体２１をカラー半径方向外側へ向けて傾けてゴムローラ体１５をその弾性を利用して半径方向に押し広げながら前進移動させる。そして、カラー分割構造体２１における分割線Ａ３で分割された縁部に形成した係合爪２５をカラー分割構造体２２の周面部１２ｂにおける分割線Ａ３で分割された縁部に内側から当てて、弾性を利用して先端の爪部２５ａを前記縁部に形成された係合孔２８に係合する。
また、カラー分割構造体２１の一端面部１３ａに形成した係合爪２６の弾性を利用して、その先端の爪部２６ａをカラー分割構造体２２の一端面部１３ｂの係合孔２７に係合する。これにより、カラー分割構造体２１，２２を組合せてカラー１１を組立てるとともに、カラー１１の外周面にゴムローラ体１５を嵌合する。
【００２４】
ここで、カラー分割構造体２１はゴムローラ体１５をその弾性を利用して半径方向に押し広げながら前進移動させるので、カラー分割構造体２１をゴムローラ体１５の内周面に摺接移動させるだけの場合に比較してカラー分割構造体２２と組合せる作業が容易で円滑に行える。また、カラー分割構造体２２は一端面部１３ｂを残す形で分割して周面部１２ｂがカラー１１の全長にわたる長さを有している。このため、カラー分割構造体２２に嵌合されたゴムローラ体１５の一端開口部はカラー分割構造体２２の周面部で開いた状態を保持されているので、カラー分割構造体２１をゴムローラ体１５とカラー分割構造体２２の一端面部１３ｂとの間に容易に挿入できる。
【００２５】
このようにして円筒体をなすカラー１１は、その中心軸線Ｏを挟んで一方の側に位置する周面部１２の部分と一端面部１３とを結ぶ分割線Ａ１〜Ａ３に沿って分割された２個のカラー分割構造体２１，２２を組合せているので、ゴムローラ体１５と組合せてカラー１１を組立てる上でゴムローラ体１５による制約を最も少ない状態で容易に組立てることができる。
【００２６】
なお、本発明は前述した実施の形態に限定されず、種々変形して実施することができる。
【００２７】
【発明の効果】
以上詳述した本発明によれば、カラーを２個のカラー分割構造体で構成することにより、カラーを分割して構成する部品数が少なくて構成が簡素であり、カラーの組立ておよび分解を容易に行うことができて経済性が高い。
加えて、カラーの中心軸線に対し傾斜する分割線に沿ってカラー分割構造体を分割することにより、ゴムローラ体と組合せてカラーを組立てる上でゴムローラ体による制約を最も少ない状態で容易に組立てることができる。
【図面の簡単な説明】
【図１】本発明の一実施の形態におけるゴムローラを示す斜視図。
【図２】同実施の形態におけるゴムローラを示す斜視図。
【図３】同実施の形態におけるゴムローラ体を示す分解斜視図。
【図４】同実施の形態におけるゴムローラを示す断面図。
【図５】従来のゴムローラの一形態を示す斜視図。
【図６】従来のゴムローラの他の形態を示す斜視図。
【図７】従来のゴムローラの異なる他の形態を示す分解斜視図。
【符号の説明】
１１…カラー、１２…周面部、１３…一端面部、１４…他端面部、１５…ゴムローラ体、２１，２２…カラー分割構造体、Ｏ…中心軸線。
【図１】
0004392141.tif 000002
【図２】
0004392141.tif 000003
【図３】
0004392141.tif 000004
【図４】
0004392141.tif 000005
【図５】
0004392141.tif 000006
【図６】
0004392141.tif 000007
【図７】
0004392141.tif 000008